(57)【要約】【課題】通信プローブ部品を携帯電話に使用して充電ピンもしくはアンテナ信号ピンとした時、正常に機能を発揮する通信プローブ部品の構造を提供する。      【解決手段】通信プローブ部品の構造は、筒状フレーム、柱形最上ピン、弾性部品及び蓋から構成される。そのうち、筒状フレームの中空内腔は両端が開口端に成形され、電気メッキを行う時、電解液が中空内腔の内壁表面及び底部表面に均一に分布し、筒状フレームの電気メッキの品質が向上する。そのため、電気伝導不良や電気接触不良の問題が解決される。【選択図】図２  
0003105585.tif 000002
【実用新案登録請求の範囲】
【請求項１】
主に筒状フレーム、柱形最上ピン、弾性部品及び蓋から構成された通信プローブ部品の構造において、
内部は両端が開口端の中空内腔で、且つ中空内腔の内壁は階段状の断面が形成され、内径の大きい部分と内径の小さい部分の交錯する接続部分は頚部が形成される筒状フレームと、
外径上に断面が階段状で口径が大きい肩部が設置され、筒状フレームの底部から入れ、筒状フレームの中空内腔へ納置すると、肩部が筒状フレームの内壁に形成された頚部に当たる柱形最上ピンと、
柱形最上ピンと相互に接触し、且つ柱形最上ピンを上へ押し上げる弾性部品と、
筒状フレームの中空内腔下方の開口端にしっかりと結合し、且つ筒状フレームの底部となり、弾性部品の固定端と相互に接触する蓋から構成されることを特徴とする通信プローブ部品の構造。
【請求項２】
前記柱形最上ピンは、一端が開口で、別の一端は封鎖された中空内腔が設置されることを特徴とする請求項１記載の通信プローブ部品の構造。
【考案の詳細な説明】
【技術分野】
【０００１】
本考案は、通信プローブ部品の構造に関するもので、特に携帯電話の充電プローブもしくはアンテナ信号プローブの構造で、携帯電話に使用して充電ピンもしくはアンテナ信号ピンとした時、正常に機能を発揮するものである。
【背景技術】
【０００２】
図１に示すとおり、公知の通信プローブ部品１０は、携帯電話において充電ピンもしくはアンテナ信号ピンのうちの一種類である。この種の通信プローブ部品１０構造は、三件から構成され、筒状フレーム１１、柱形最上ピン１２及び弾性部品１３から構成される。
そのうち、筒状フレーム１１の内部は、一端が開口で、別端は封鎖された中空内腔１１ａである。そこに弾性部品１３の一端を入れて中空内腔１１ａ底部で支える。弾性部品１３の先端に柱形最上ピン１２を被せると、弾性部品１３は中空内腔１２ａ内で滑動する。
柱形最上ピン１２の内部１２は、筒状フレーム１１と同じく一端が開口で、別端は封鎖された中空内腔１２ａである。弾性部品１３の別端を中空内腔１２ａ内部に入れると、中空内腔１１ａの最上端に当たる。柱形最上ピン１２及び弾性部品１３を筒状フレーム１１の中空内腔１１ａ最上部から入れ、筒状フレーム１１及び柱形最上ピン１２の内部に弾性部品１３の先端を設置する。それによって柱形最上ピン１２が下へ押された時、弾性部品１３は圧縮され、柱形最上ピン１２は筒状フレーム１１の内部で下へ滑動する。柱形最上ピン１２への圧力が消失すると、弾性部品１３も弾力を回復し伸び、柱形最上ピン１２は筒状フレーム１１の内部で上に向かって滑動する。
柱形最上ピン１２が筒状フレーム１１内部で上下滑動するためには、筒状フレーム１１から外れたり、分離してはならない。柱形最上ピン１２の外径には階段状で口径が大きい肩部１２ｂが設置される他に、更にこの肩部１２ｂの外径を、筒状フレーム１１の中空内腔１２ａの内径より小さくして設置する。また柱形最上ピン１２及び弾性部品１３を筒状フレーム１１の中空内腔１２ａ内に入れた後、機械で口を縮小加工しなければならない。筒状フレーム１１の中空内腔１２ａ開口端を外力によって強制的に小さくし、中空内腔１２ａに口唇部１１ｂを成形する。加工後、筒状フレーム１１の口唇部１１ｂ開口口径は柱形最上ピン１２肩部１２ｂより小さくなるため、筒状フレーム１１の中空内腔１２ａで覆い、筒状フレーム１１は上下滑動する。弾性部品１３は筒状フレーム１１と柱形最上ピン１２内部に内蔵される。柱形最上ピン１２が弾力を受けて上へ移動するとき、柱形最上ピン１２の肩部１２ｂの最後は、筒状フレーム１１の口唇部１１ｂに接触し、且つ筒状フレーム１１口唇部１ｂの制限を受ける。そのため、筒状フレーム１１内部から外れずに筒状フレーム１１、柱形最上ピン１２、弾性部品１３が組み合わさる。
【０００３】
しかしながら、公知の通信プローブ部品１０は、携帯電話の充電ピンもしくは通信信号ピンとして使用される場合、電気伝導の不良、電気接触不良の問題が常に発生し、充電の問題や故障、発信受信の品質不良が起こりやすい。
その原因は、各部品の電気連接区域表面、特に筒状フレーム１１の中空内腔１２ａ内壁及び底部表面の電気メッキが平均的でなく、電気メッキされていない箇所があるためである。そのため、柱形最上ピン１２と弾性部品１３が電気連接した時、弾性部品１３と筒状フレーム１１から構成される電気連接ルート上に、瑕や欠陥が出現し、充電上の問題や故障が起こり、またアンテナ信号ピンを使用時、発信、受信品質に問題が発生する。
筒状フレーム１１の中空内腔１２ａの内壁表面及び底部に電気メッキの不均衡や電気メッキが施されていないのは、筒状フレーム１１の構造設計に問題があるからである。筒状フレーム１１の内部構造は、一端が開口で、別端が封鎖された中空内腔１１ａである。筒状フレーム１１に電解液を浸透させて電気メッキ作業を行う時、中空内腔１１ａ内部の空気を抜かなければならない。なぜなら通路がなければ他へ逃げることになり、電解液が中空内腔１１ａ内部へ浸透したり、進入してしまう。空気は中空内腔１１ａ内部に於いても残存し、電解液に押し出されないため、中空内腔１１ａ内部は空気が占め、電解液が中空内腔１１ａ内壁表面及び底面に平均して分布するのを妨げ、その結果電気メッキが不均衡であったり、メッキがない部分ができたりする。
【考案の開示】
【考案が解決しようとする課題】
【０００４】
解決しようとする問題点は、電気メッキの状態が不均衡であるため、機能が正常に発揮せず、電気伝導不良や電気接触不良が発生する点である。
【課題を解決するための手段】
【０００５】
本考案は、筒状フレーム、柱形最上ピン、弾性部品及び蓋から構成される。そのうち、筒状フレームの中空内腔は両端が開口端に成形され、電気メッキを行う時、電解液が中空内腔の内壁表面及び底部表面に均一に分布し、筒状フレームの電気メッキの品質が向上する。そのため、電気伝導不良や電気接触不良の問題が解決されることを最も主要な特徴とする。
【考案の効果】
【０００６】
本考案の通信プローブ部品の構造は、携帯電話に使用して充電ピンもしくはアンテナ信号ピンとした時、正常に機能を発揮するという利点がある。
【考案を実施するための最良の形態】
【０００７】
図２から図４に示すとおり、本考案は、通信プローブ部品２０は、四点のユニット構造で、筒状フレーム２１、柱形最上ピン２２、弾性部品２３及び蓋２４から構成される。
【０００８】
そのうち、筒状フレーム２１の内部は、両端が開口端である中空内腔２１ａが設置される。中空内腔２１ａの両端は開口端が成形されているため、筒状フレーム２１を製造する時、筒状フレーム２１の中空内腔２１ａの内壁形状を直接階段状に成形することができる。つまり内径の大きい部分と内径の小さい部分になり、且つ大きい内径部分と小さい内径部分が交錯する連接区域は、中空内腔２１ａの内壁上の頚部２１ｂとなる。
【０００９】
柱形最上ピン２２の形状は、公知の柱形最上ピン１２と構造が同じで、一端が開口で、別端が封鎖された中空内腔２２ａとなる。そこに弾性部品２３を納置すると、中空内腔２２ａの最上部に当たるので、良好な電気連接を具える。更に柱形最上ピン２２の外径には階段状で、口径が大きくなった肩部２２ｂが設置される。この柱形最上ピン２２の肩部２２ｂ口径は、柱形最上ピン２２が筒状フレーム２１の中空内腔２２ａ内で上下滑動する大きさにする。
【００１０】
本考案の柱形最上ピン２２を実心にして、中空内腔２２ａをなくすこともできる。弾性部品２３によってこの種の柱形最上ピン２２底部に当て、柱形最上ピン２２が筒状フレーム２１の中空内腔２２ａ内で上下滑動し、弾性部品２３と共に良好な電気連接を形成する。
【００１１】
蓋２４の口径は、筒状フレーム２１の中空内腔２１ａ底部開口端ときつく結合する大きさとする。蓋２４と筒状フレーム２１をきつく結合すると、筒状フレーム２１の底部となり、筒状フレーム２１開口端を封鎖する。
【００１２】
図３及び図４に示すとおり、柱形最上ピン２２を筒状フレーム２１底部から中空内腔２１ａ内部へ入れる。柱形最上ピン２２の肩部２２ｂは、最後に筒状フレーム１１の頚部２１ｂに接触し、頚部２１Ｂの制限を受け、柱形最上ピン２２は前半が筒状フレーム２１外面から出るだけで、柱形最上ピン２２は筒状フレーム２１内部から外れて落ちない。
【００１３】
その際、弾性部品２３の一端を筒状フレーム２１の中空内腔２１ａ内部に入れ、柱形最上ピン２２の中空内腔２２ａ内部も入れ、中空内腔２２ａ最上部に当てる。続いて蓋２４と筒状フレーム２１底部開口端がきつく結合される。筒状フレーム２１底部開口端を閉じると、弾性部品の別の一端は蓋２４表面に当たって弾性部品２３の固定端となる。そして筒状フレーム２１、柱形最上ピン２２、弾性部品２４が組み立てられて、通信プローブ部品２０となる。
【００１４】
柱形最上ピン２２が下へ押されると、弾性部品２３は圧縮され、柱形最上ピン２２は筒状フレーム２１の内部で下へ滑動する。圧力が消失すると、弾性部品２２は弾力を回復して伸び、柱形最上ピン２２は筒状フレーム２１内部に於いて上へ滑動し、柱形最上ピン２２の肩部２２ｂが筒状フレーム２１の頚部２１ｂに接触する。
【００１５】
本考案では、電気メッキを確かにする主な技術として、筒状フレーム２１の中空内腔２１ａの両端に開口端を成形し、筒状フレーム２１を電解液に浸けるとき、中空内腔２１ａ内部に容易に浸透し、中空内腔２１ａ内部の空気を徹底的に排出し、空気が中空内腔２１ａ内部に残留しないので、中空内腔２１ａ内壁表面に均一に分布し、中空内腔２１ａ内壁表面の電気メッキ品質が向上する。更に筒状フレーム２１底部が蓋２４ときつく閉るが、蓋２４が実心のもので、蓋２４に電気メッキを施す時、蓋２４には電気メッキ不均衡の問題は発生しない。筒状フレーム２１は蓋２４によって、その底部となり、筒状フレーム２１の中空内腔２１ａの内壁及び底部表面に良好な電気メッキ品質を具える。
【００１６】
通信プローブ部品２０の柱形最上ピン１２と弾性部品１３の間の電気連接、更に蓋２４間の電気連接は、問題がない。
【００１７】
図５に示すとおり、本考案の通信プローブ部品２０は充電ピンとして使用され、特に携帯電話上で使用する。携帯電話を電池２５に入れ、正確な位置に置くと、通信プローブ部品２０の柱形最上ピン２２は下へ押され、筒状フレーム２１の内部で下へ滑動する。その時、弾性部品２３は圧縮され、弾力が回復すると、柱形最上ピン２２は弾力によって上へ滑動する。この上へ向かう力が、柱形最上ピン２２の最上端と電池２５の導電区を緊密に合わせ、良好な電気連接を形成し、通信プローブ部品２０本体は良好な電気メッキ品質を具え、各部品間の電気連接は電気伝導不良もしくは電気接触の問題を改善する。
【図面の簡単な説明】
【００１８】
【図１】公知の通信プローブ部品の構造断面図である。
【図２】本考案に示す通信プローブ部品の外観指示図である。
【図３】本考案に示す通信プローブ部品の構造断面図である。
【図４】本考案に示す通信プローブ部品の組立分解図である。
【図５】本考案に示す通信プローブ部品を携帯電話に使用して充電針として使用し、且つ電池に充電する使用状態図である。
【符号の説明】
【００１９】
１０        公知通信プローブ部品
１１        筒状フレーム
１１ａ      中空内腔
１１ｂ      口唇部
１２        柱形最上ピン
１２ａ      中空内腔
１２ｂ      肩部
１３        弾性部品
２０        通信プローブ部品
２１        筒状フレーム
２１ａ      中空内腔
２１ｂ      頚部
２２        柱形最上ピン
２２ａ      中空内腔
２２ｂ      肩部
２３        弾性部品
２４        蓋
２５        携帯電話電池
【図１】
0003105585.tif 000003
【図２】
0003105585.tif 000004
【図３】
0003105585.tif 000005
【図４】
0003105585.tif 000006
【図５】
0003105585.tif 000007